(57)【要約】【課題】二次電池に加工を行うことなく、挿入されている電池が一次電池であるか二次電池であるかをすぐに判別することができる。【解決手段】電源部１０７は、電池を挿入可能であり、挿入された電池が出力する電力を供給する。太陽電池１０８は、電源部１０７に挿入された電池を充電する。ＣＰＵ１０１は、電源部１０７に挿入された電池の電圧値を検出し、検出した電圧値が所定の閾値以下である場合、電源部１０７に挿入された電池は二次電池であると判定し、検出した電圧値が所定の閾値よりも大きい場合、電源部１０７に挿入された電池は一次電池であると判定する。【選択図】図１
2013026034.tif 000002
【特許請求の範囲】
【請求項１】
電池を挿入可能であり、挿入された前記電池が出力する電力を供給する電源部と、
前記電源部に挿入された前記電池を充電する充電部と、
前記電源部に挿入された前記電池の電圧値を検出する電圧検出部と、
前記電圧検出部が検出した電圧値が所定の閾値以下である場合、前記電源部に挿入された前記電池は二次電池であると判定し、前記電圧検出部が検出した電圧値が所定の閾値よりも大きい場合、前記電源部に挿入された前記電池は一次電池であると判定する電池種別判定部と、
を備えたことを特徴とする電子機器。
【請求項２】
前記電池種別判定部は、前記電源部に挿入された前記電池は一次電池であると判定した場合、前記電源部に前記一次電池が挿入されていることを報知する異常処理を行う
ことを特徴とする請求項１に記載の電子機器。
【請求項３】
表示部を備え、
前記電池種別判定部は、前記異常処理として前記表示部にエラーメッセージを表示させる
ことを特徴とする請求項２に記載の電子機器。
【請求項４】
表示部を備え、
前記電池種別判定部は、前記異常処理として前記表示部の表示を消去する
ことを特徴とする請求項２に記載の電子機器。
【請求項５】
入力を受け付ける入力部を備え、
前記電池種別判定部は、前記異常処理として前記入力部が受け付ける入力を無効にする
ことを特徴とする請求項２に記載の電子機器。
【請求項６】
前記一次電池はＣＲ１６１６であり、
前記二次電池はＣＴＬ１６１６であり、
前記電源部が挿入可能な前記電池は、前記ＣＴＬ１６１６と同一形状の電池である
ことを特徴とする請求項１から請求項５のいずれか１項に記載の電子機器。
【請求項７】
電池を挿入可能であり、挿入された前記電池が出力する電力を供給する電源部と、
前記電源部に挿入された前記電池を充電する充電部と、
前記電源部に挿入された前記電池の電圧値を検出する電圧検出部と、
前記電圧検出部が検出した電圧値が所定の閾値以下である場合、前記電源部に挿入された前記電池は二次電池であると判定し、前記電圧検出部が検出した電圧値が所定の閾値よりも大きい場合、前記電源部に挿入された前記電池は一次電池であると判定する電池種別判定部と、
を備えたことを特徴とする電子時計。
【発明の詳細な説明】
【技術分野】
【０００１】
本発明は、電子機器および電子時計に関する。
【背景技術】
【０００２】
ソーラー時計の二次電池としてＣＴＬ１６１６が使用されるが、一次電池（リチウム電池）であるＣＲ１６１６と同じサイズである。そのため、ソーラー時計の電池交換時に、誤ってＣＲ１６１６が挿入されたり、ＣＴＬ１６１６の入手が困難なためＣＲ１６１６が挿入されたりするケースが発生している。ＣＴＬ１６１６を使用するソーラー時計にＣＲ１６１６が挿入された場合、電池の発熱などが起こる可能性がある。
【０００３】
そこで、一次電池と二次電池とを判別する技術が知られている。具体的には、二次電池の形状を変化させることで、一次電池と二次電池とを判別する技術が知られている（例えば、特許文献１参照）。また、所定時間使用した際の電圧差から一次電池と二次電池とを判別する技術が知られている（例えば、特許文献２参照）。また、二次電池の一方の電極にシールを貼り付けることにより、一次電池と二次電池とを判別する方法が知られている（例えば、特許文献３参照）。
【先行技術文献】
【特許文献】
【０００４】
【特許文献１】特開平７−１４６０１号公報
【特許文献２】特許２９９０１０４号公報
【特許文献３】特開２００６−３３１６６８号公報
【発明の概要】
【発明が解決しようとする課題】
【０００５】
しかしながら、二次電池の形状を変化させる方法では、二次電池の形状を変化させるために特殊な加工を行う必要があるという問題がある。また、所定時間使用した際の電位差から一次電池と二次電池とを判別する方法では、判別までに時間がかかるため、正規のＣＴＬ１６１６を挿入した場合でもすぐに使用することができないという問題がある。また、二次電池の一方の電極にシールを貼り付ける方法では、二次電池にシールを貼り付ける加工が必要であるという問題がある。
【０００６】
そこで、本発明は上述の事情を鑑みてなされたものであり、二次電池に加工を行うことなく、挿入されている電池が一次電池であるか二次電池であるかをすぐに判別することができる電子機器および電子時計を提供することを目的とする。
【課題を解決するための手段】
【０００７】
本発明は、電池を挿入可能であり、挿入された前記電池が出力する電力を供給する電源部と、前記電源部に挿入された前記電池を充電する充電部と、前記電源部に挿入された前記電池の電圧値を検出する電圧検出部と、前記電圧検出部が検出した電圧値が所定の閾値以下である場合、前記電源部に挿入された前記電池は二次電池であると判定し、前記電圧検出部が検出した電圧値が所定の閾値よりも大きい場合、前記電源部に挿入された前記電池は一次電池であると判定する電池種別判定部と、を備えたことを特徴とする電子機器である。
【０００８】
また、本発明の電子機器において、前記電池種別判定部は、前記電源部に挿入された前記電池は一次電池であると判定した場合、前記電源部に前記一次電池が挿入されていることを報知する異常処理を行うことを特徴とする。
【０００９】
また、本発明は、表示部を備え、前記電池種別判定部は、前記異常処理として前記表示部にエラーメッセージを表示させることを特徴とする電子機器である。
【００１０】
また、本発明は、表示部を備え、前記電池種別判定部は、前記異常処理として前記表示部の表示を消去することを特徴とする電子機器である。
【００１１】
また、本発明は、入力を受け付ける入力部を備え、前記電池種別判定部は、前記異常処理として前記入力部が受け付ける入力を無効にすることを特徴とする電子機器である。
【００１２】
また、本発明の電子機器において、前記一次電池はＣＲ１６１６であり、前記二次電池はＣＴＬ１６１６であり、前記電源部が挿入可能な前記電池は、前記ＣＴＬ１６１６と同一形状の電池であることを特徴とする。
【００１３】
また、本発明は、電池を挿入可能であり、挿入された前記電池が出力する電力を供給する電源部と、前記電源部に挿入された前記電池を充電する充電部と、前記電源部に挿入された前記電池の電圧値を検出する電圧検出部と、前記電圧検出部が検出した電圧値が所定の閾値以下である場合、前記電源部に挿入された前記電池は二次電池であると判定し、前記電圧検出部が検出した電圧値が所定の閾値よりも大きい場合、前記電源部に挿入された前記電池は一次電池であると判定する電池種別判定部と、を備えたことを特徴とする電子時計である。
【発明の効果】
【００１４】
本発明によれば、電源部は、電池を挿入可能であり、挿入された電池が出力する電力を供給する。また、充電部は、電源部に挿入された電池を充電する。また、電圧検出部は、電源部に挿入された電池の電圧値を検出する。また、電池種別判定部は、電圧検出部が検出した電圧値が所定の閾値以下である場合、電源部に挿入された電池は二次電池であると判定し、電圧検出部が検出した電圧値が所定の閾値よりも大きい場合、電源部に挿入された電池は一次電池であると判定する。これにより、電源部に挿入された電池の電圧値を検出することで、電源部に挿入された電池種別を判定することができる。従って、二次電池に加工を行うことなく、挿入されている電池が一次電池であるか二次電池であるかをすぐに判別することができる。
【図面の簡単な説明】
【００１５】
【図１】本発明の一実施形態における電子時計の構成を示したブロック図である。
【図２】本実施形態における電源部と、太陽電池と、逆流防止回路と、過充電防止回路との回路構成を示した回路図である。
【図３】本実施形態における電子時計の電池種別判定処理の処理手順を示したフローチャートである。
【発明を実施するための形態】
【００１６】
以下、本発明の一実施形態について、図面を参照しながら説明する。本実施形態では、電子機器の一例として、太陽電池を備えた電子時計の例を用いて説明する。図１は、本実施形態における電子時計の構成を示したブロック図である。図示する例では、電子時計１００は、ＣＰＵ１０１（電圧検出部、電池種別判定部）と、発振回路１０２と、分周回路１０３と、入力部１０４と、ＲＯＭ（Ｒｅａｄ  Ｏｎｌｙ  Ｍｅｍｏｒｙ、読み出し専用メモリ）１０５と、ＲＡＭ（Ｒａｎｄｏｍ  Ａｃｃｅｓｓ  Ｍｅｍｏｒｙ、ランダムアクセスメモリ）１０６と、電源部１０７と、太陽電池１０８（充電部）と、逆流防止回路１０９と、表示部１１０とを備える。
【００１７】
ＣＰＵ１０１は、電子時計１００が備える各部の制御を行う。また、ＣＰＵ１０１は、電源部１０７に挿入されている電池の電圧を検出する。また、ＣＰＵ１０１は、電源部１０７に挿入されている電池の種別を判定する。発振回路１０２は、所定周波数の信号を出力する。分周回路１０３は、発振回路１０２の出力信号を所定分周比で分周してＣＰＵ１０１用の規準クロック信号や計時用の時計信号を出力する。入力部１０４は、外部から操作可能なスイッチによって構成されており、入力を受け付ける。ＲＯＭ１０５は、ＣＰＵ１０１が実行するプログラムを予め記憶している。ＲＡＭ１０６は、電子時計１００が用いるデータを記憶する。
【００１８】
電源部１０７は、二次電池であるＣＴＬ１６１６を挿入することが可能な電池ボックスを備え、電池ボックスに挿入されたＣＴＬ１６１６の電力を電子時計１００が備える各部に供給する。電源部１０７に挿入されるＣＴＬ１６１６は交換可能である。なお、ＣＴＬ１６１６と、一次電池（リチウム電池）であるＣＲ１６１６との形状は同じである。そのため、電源部１０７に挿入されているＣＴＬ１６１６の交換時に、誤ってＣＲ１６１６が挿入されたり、ＣＴＬ１６１６の入手が困難なためＣＲ１６１６が挿入されたりすることも考えられる。なお、ＣＴＬ１６１６が出力する最大電圧は、約２．６Ｖである。また、ＣＲ１６１６の初期電圧は３Ｖ以上である。
【００１９】
ＣＴＬ１６１６の代わりにＣＲ１６１６が電源部１０７に挿入された場合、ＣＲ１６１６は一次電池であるため発熱する可能性がある。従って、本実施形態では、電子時計１００は、電源投入時もしくはリセット時などに、電源部１０７に挿入されている電池種別の判定処理を行い、判定結果に基づいて実行する処理を変更する。なお、電池種別判定処理の詳細手順については後述する。
【００２０】
太陽電池１０８は、受光した光の強度に応じた電力を発電し、電源部１０７に挿入されているＣＴＬ１６１６を充電する。逆流防止回路１０９は、電源部１０７から太陽電池１０８に電流が流れないように制御する回路である。表示部１１０は例えば液晶ディスプレイであり、時刻等の情報を表示する。
【００２１】
次に、電子時計１００が備える電源部１０７と、太陽電池１０８と、逆流防止回路１０９と、過充電防止回路との回路構成について説明する。図２は、本実施形態における電子時計１００が備える電源部１０７と、太陽電池１０８と、逆流防止回路１０９と、過充電防止回路２００との回路構成を示した回路図である。なお、過充電防止回路２００は、ＣＰＵ１０１の一部である。また、過充電防止回路２００は、基準電圧回路２０１と、コンパレータ部２０２と、ＮＭＯＳトランジスタ２０３とを備える。
【００２２】
図示する例では、太陽電池１０８の陽極端子は電源線Ｖｓｃに接続され、陰極端子は電源線Ｖｓｓに接続されている。また、電源部１０７の陽極端子は電源線Ｖｄｄに接続され、陰極端子は電源線Ｖｓｓに接続されている。また、逆流防止回路１０９はダイオード素子であり、アノード端子は電源線Ｖｓｃに接続され、カソード端子は電源線Ｖｄｄに接続されている。この構成により、電源部１０７から太陽電池１０８に電流が流れることを防止することができる。
【００２３】
また、コンパレータ部２０２の入力端子の一端は電源線Ｖｄｄに接続され、他端は基準電圧回路２０１に接続されている。また、コンパレータ部２０２の出力端子は、ＮＭＯＳトランジスタ２０３のゲート端子に接続されている。また、ＮＭＯＳトランジスタ２０３のソース端子は電源線Ｖｓｓに接続され、ドレイン端子は電源線Ｖｓｃに接続されている。
【００２４】
基準電圧回路２０１は、基準電圧をコンパレータ部２０２に入力する。基準電圧は、例えば電源部１０７に挿入されているＣＴＬ１６１６が満充電の際に出力する電圧２．６Ｖである。コンパレータ部２０２は、電源線Ｖｄｄの電圧と基準電圧とを比較し、電源線Ｖｄｄの電圧が基準電圧以上の場合には出力端子から電圧を出力する。これにより、電源線Ｖｄｄの電圧が基準電圧以上の場合、すなわち、電源部１０７に挿入されているＣＴＬ１６１６が満充電の場合、太陽電池１０８が発電した電流は電源部１０７を流れず、ＮＭＯＳトランジスタ２０３を流れる。従って、電源部１０７に挿入されているＣＴＬ１６１６の過充電を防止することができる。
【００２５】
次に、本実施形態における電子時計１００の電池種別判定処理について説明する。図３は、本実施形態における電子時計１００の電池種別判定処理の処理手順を示したフローチャートである。なお、電子時計１００は、電源投入時もしくはリセット時などに電池種別判定処理を行う。
【００２６】
（ステップＳ１０１）ＣＰＵ１０１は初期設定処理を行う。その後、ステップＳ１０２の処理に進む。例えば、初期設定処理では、ＣＰＵ１０１は、ＲＡＭ１０６をクリアし、時刻およびカレンダーを初期値（例えば、２０１１年１月１日０時００分）に設定する。
（ステップＳ１０２）ＣＰＵ１０１は、電源部１０７が出力する電圧を検出し、電源部１０７が出力する電圧は２．７Ｖ以下であるか否かを判定する（二次電池の最大出力電圧値以下であるか否かを判定する）。電源部１０７が出力する電圧は２．７Ｖ以下であるとＣＰＵ１０１が判定した場合にはステップＳ１０３の処理に進み、それ以外の場合にはステップＳ１０４の処理に進む。
【００２７】
（ステップＳ１０３）ＣＰＵ１０１は、電源部１０７に挿入されている電池はＣＴＬ１６１６（二次電池）であると判定し、通常の計時処理（通常処理）を開始する。その後、電池種別判定処理を終了する。
（ステップＳ１０４）ＣＰＵ１０１は、電源部１０７に挿入されている電池はＣＲ１６１６（一次電池）であると判定し、異常処理を開始する。その後、電池種別判定処理を終了する。例えば、異常処理では、ＣＰＵ１０１は、表示部１１０へのエラーメッセージの表示や、表示部１１０の表示の消去（消灯）や、入力部１０４の入力の無効等を行い、ＣＲ１６１６が挿入されていることをユーザーに通知する。エラーメッセージは、例えば、「ＥＲＲＯＲ」や「一次電池が入っています」などのメッセージである。
【００２８】
上述したとおり、本実施形態では、ＣＰＵ１０１は、電子時計１００の電源投入時もしくはリセット時などに、電源部１０７が出力する電圧を検出する。そして、ＣＰＵ１０１は、電源部１０７が出力する電圧は二次電池の最大出力電圧値以下であるか否かを判定することで、電源部１０７に挿入されている電池は二次電池であるか一次電池であるかを判定する。
【００２９】
例えば、二次電池がＣＴＬ１６１６であり一次電池がＣＲ１６１６である場合、ＣＴＬ１６１６が出力する最大電圧は約２．６Ｖであり、ＣＲ１６１６の初期電圧は３Ｖ以上である。そのため、ＣＰＵ１０１は、電源部１０７が出力する電圧は２．６Ｖ以下であると判定した場合、電源部１０７に挿入されている電池はＣＴＬ１６１６であると判定する。また、ＣＰＵ１０１は、電源部１０７が出力する電圧は２．６Ｖよりも大きいと判定した場合、電源部１０７に挿入されている電池はＣＲ１６１６であると判定する。
【００３０】
また、電源部１０７が出力する電圧は二次電池の最大出力電圧値以下であると判定した場合、すなわち、電源部１０７に挿入されている電池は二次電池であると判定した場合、ＣＰＵ１０１は通常処理を行う。また、電源部１０７が出力する電圧は二次電池の最大出力電圧値よりも大きいと判定した場合、すなわち、電源部１０７に挿入されている電池は一次電池であると判定した場合、ＣＰＵ１０１は異常処理を行う。
【００３１】
従って、電子時計１００は、一次電池と二次電池とが同じ形状である場合においても、二次電池に加工を行うことなく、電源部１０７に挿入されている電池が一次電池か二次電池かをすぐに判別することができる。また、電子時計１００は、電源部１０７挿入されている電池が一次電池か二次電池かを判別した結果を、ユーザーに通知することができる。
【００３２】
なお、上述した実施形態における電子時計１００が備える各部の機能全体あるいはその一部は、これらの機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ＯＳや周辺機器等のハードウェアを含むものとする。
【００３３】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶部のことをいう。さらに「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【００３４】
以上、本発明の実施形態について説明したが、本発明は、上記実施形態に限定されるものではなく、本発明の趣旨を逸脱しない範囲において種々の変更を加えることが可能である。
【００３５】
例えば、上述した実施形態では、電子時計としてデジタル時計を例に説明したが、これに限らず、アナログ時計としてもよい。なお、アナログ時計の場合、異常処理では、時針や分針を逆転回転させることで、一次電池（ＣＲ１６１６）が挿入されていることをユーザーに通知するようにしてもよい。
【符号の説明】
【００３６】
１００・・・電子時計、１０１・・・ＣＰＵ、１０２・・・発振回路、１０３・・・分周回路、１０４・・・入力部、１０５・・・ＲＯＭ、１０６・・・ＲＡＭ、１０７・・・電源部、１０８・・・太陽電池、１０９・・・逆流防止回路、１１０・・・表示部、２００・・・過充電防止回路、２０１・・・基準電圧回路、２０２・・・コンパレータ部、２０３・・・ＮＭＯＳトランジスタ
【図１】
2013026034.tif 000003
【図２】
2013026034.tif 000004
【図３】
2013026034.tif 000005